(57)【特許請求の範囲】
【請求項１】
複数の記録媒体の各々を隔壁で仕切られた個別空間に収納する収納手段と、記録媒体を前記個別空間に出し入れする搬送手段と、前記搬送手段と前記収納手段との位置関係に応じて動作し、記録媒体を収納する個別空間の入り口が開拡するよう前記隔壁を変位させる変形手段と、を有する記録媒体収納装置において、
前記変形手段は、
前記隔壁の入り口の近傍に設けられた磁性体と、
前記搬送手段に設けられた搬送側磁石とからなることを特徴とする記録媒体収納装置。
【請求項２】
複数の記録媒体の各々を隔壁で仕切られた個別空間に収納する収納手段と、
記録媒体を前記個別空間に出し入れする搬送手段と、前記搬送手段と前記収納手段との位置関係に応じて動作し、記録媒体を収納する個別空間の入り口が開拡するよう前記隔壁を変位させる変形手段と、を有する記録媒体収納装置において、
前記変形手段は、
前記隔壁の入り口の近傍に設けられた磁性体と、
前記磁性体に対応する位置に設けられた電磁石と、
前記搬送手段と前記収納手段との位置関係に応じた前記電磁石に電力を供給する電力供給手段とからなることを特徴とする記録媒体収納装置。
【発明の詳細な説明】
【０００１】
【発明の属する技術分野】
本発明は、例えば、オートチェンジャＣＤプレーヤのマガジン等からなるディスクの収納部分等、複数の記録媒体を収納する収納装置に関する。
【０００２】
【従来の技術】
オートチェンジャ付きＣＤプレーヤ等の記録媒体再生装置においては、複数の記録媒体（ディスク等）を収納する部分が主要な構成の一つとなっている。従来の記録媒体収納装置を図１３を用いて説明する。図１３は従来の記録媒体再生装置（ＣＤプレーヤ）の構成図で、（ａ）は正面図、（ｂ）は透視Ａ矢視図である。
【０００３】
従来の記録媒体収納装置は、記録媒体であるコンパクトディスク（以下「ＣＤ」と言う）１の挿排口１１１を設けたほぼ直方体の筐体１０と、筐体１０内に設けられ、ＣＤ１が収納されるストッカ３５（収納手段）と、ＣＤ１の搬送（ストッカ３５への挿入排出）を行なう搬送部２４（搬送手段）とストッカ３５をＣＤ１の積載方向に移動するストッカ昇降部３８とから構成され、ＣＤプレーヤはこの記録媒体収納装置に加え、更にＣＤ１に記録された信号を再生する記録再生部４と各部の制御を行なう制御部５４とで構成されている。搬送部２４は、挿排口１１１と記録媒体を収納するストッカ３５の間にあって、ＣＤ１を挟んで送る駆動ローラ２５等からなる構造でＣＤ１をストッカ３５に出し入れする。ストッカ３５は複数の隔壁３５１で仕切られた複数の収納空間３７５で構成され、この各収納空間３７５に複数のＣＤ１を個別に収納する。ストッカ昇降部３８はストッカ３５を隔壁３５１が積層する方向に移動させるものであり、モータやギヤからなり選択されたＣＤ１が収納された収納空間３７５にＣＤ１を挿入排出できる位置までストッカ３５を移動させる。
【０００４】
【発明が解決しようとする課題】
しかし限られた筐体高さの中で、ストッカ３５にできるだけ多くのＣＤ１を収納しようとすると、ストッカ３５の隔壁間隔を狭める必要がある、しかし、この隔壁間隔が狭いと、部品の歪みや機構の組立てのバラツキにより隔壁が記録媒体の進入路にはみ出して引っ掛かり、ＣＤ１を円滑に挿入できない恐れがある。
【０００５】
本発明はこの問題を解決するもので、記録媒体の収納枚数が多く、そして、円滑な挿排を可能とする記録媒体収納装置を提供することを目的とする。
【０００６】
【課題を解決するための手段】
本発明は上述の目的を解決するもので、複数の記録媒体の各々を隔壁で仕切られた個別空間に収納する収納手段と、記録媒体を前記個別空間に出し入れする搬送手段と、前記搬送手段と前記収納手段との位置関係に応じて動作し、記録媒体を収納する個別空間の入り口が開拡するよう前記隔壁を変位させる変形手段と、を有する記録媒体収納装置において、前記変形手段は、前記隔壁の入り口の近傍に設けられた磁性体と、前記搬送手段に設けられた搬送側磁石とからなることを特徴とするものである。
【０００７】
また、複数の記録媒体の各々を隔壁で仕切られた個別空間に収納する収納手段と、記録媒体を前記個別空間に出し入れする搬送手段と、前記搬送手段と前記収納手段との位置関係に応じて動作し、記録媒体を収納する個別空間の入り口が開拡するよう前記隔壁を変位させる変形手段と、を有する記録媒体収納装置において、前記変形手段は、前記隔壁の入り口の近傍に設けられた磁性体と、前記磁性体に対応する位置に設けられた電磁石と、前記搬送手段と前記収納手段との位置関係に応じた前記電磁石に電力を供給する電力供給手段とからなることを特徴とするものである。
【００１１】
【実施例】
本発明の第１実施例を図１を用いて説明する。図１は本発明の第１実施例における記録媒体再生装置の構成図で、（ａ）は平面図、（ｂ）は透視Ａ矢視図である。
【００１２】
記録媒体再生装置の筐体１０は、ほぼ直方体の形状であって、一般的に内部機構等を支持する金属で形成されたシャーシと外部意匠を形成する樹脂で構成された意匠パネルにより構成されるが、本実施例では説明を分かり易くするため、主にシャーシ側だけを表示している。筐体１０内には搬送部２０と、ストッカ３０（収納手段）と、再生部４０と、隔壁開拡部６０（隔壁開拡手段）と、制御部５０と、ストッカー昇降部３７とが収納されている。
【００１３】
搬送部２０は、筐体１０のＣＤ挿排口１１１とストッカ３０の間に配置され、上側駆動ローラ２５１ａ，２５１ｂと下側駆動ローラ２５２ａ，２５２ｂからなる駆動ローラ２５等から構成され、この駆動ローラ２５はＣＤ１を侠持した状態で回転してＣＤ１をストッカ３０の収納空間３７５に送り込み、また逆回転してストッカ３０に装填されたＣＤ１を排出する。
【００１４】
ストッカ３０は、樹脂により形成され、複数枚、本実施例では７枚の隔壁３０１を一定の間隔を空けて、垂直方向に積層した構造で、搬送部２０の反対方向側、及びこれに隣接した左右側の面の１／２は壁３５０で囲われた構造になっている。尚、各隔壁３０１はこの壁３５０に一体に結合され支持された状態となっている。つまり各隔壁３０１の前側の先端縁部３６５及び、これに隣接した左右の縁部の搬送部２０側１／２は開放された状態、即ち各隔壁が搬送部２０の方向に舌状に伸長しており、隔壁３０１に垂直方向の外力を加えると撓む構造となっている。また先端縁部３６５はＣＤ１が挿入し易いように厚み方向について先鋭な形状になっている。そしてストッカ３０にはストッカ昇降ねじ３７０に螺合するナット３９１が埋設されている。
【００１５】
ストッカ昇降部３７は、ストッカ３０に螺合された複数のストッカ昇降ねじ３７０と、モータ等で構成されたストッカ昇降駆動部３７１からなり、そして各ストッカ昇降ねじ３７０は、筐体１０の上下で軸支されると共に相互に歯車などで連結されている。従って、ストッカ昇降ねじ３７０ａ，３７０ｂ，３７０ｃはモータ等で構成されたストッカ昇降駆動部３７１により同期して回転駆動され、ストッカ３０を昇降する。
【００１６】
再生部４０は、ＣＤ１に記録された信号を読み取る光学ピックアップ４０１と、ＣＤ１を回転させるディスク駆動部４０３、そしてＣＤ１をストッカ３０からディスク駆動部に移動して搭載する移動部４２等から構成され、ＣＤ１に記録された信号を再生する。また、筐体１０内には、搬送部２０、ストッカ昇降部３７、再生部４０の制御を行なうマイクロコンピュータ（以下、「マイコン」と言う）等により構成された制御部５０が設置されている。そして、ＣＤ１を再生する場合には、再生すべきＣＤ１が収納された位置に応じてストッカ３０を昇降させ、図示しないディスク挿排機構で再生すべきＣＤ１をストッカ３０から２／３程度排出する。次にその状態で、再生部４を上昇させてＣＤ１ディスク駆動部４０３に搭載させ, そしてＣＤ１を回転してＣＤ１に記録された信号を光学ピックアップ４０１で読み取る（ＣＤ１は、その略１／３がストッカに入った状態で回転する）。
【００１７】
次に記録媒体再生装置における制御部５０の構成（ＣＤ１の記録データの再生処理は除く）について、図２を用いて説明する。図２は記録媒体再生装置におけるディスク搬送装置の電気的構成を示すブロック図である。
【００１８】
ＣＤ挿入センサ２６０は、ＣＤ１が挿排口１１１から筐体１０内に挿入されたことを検知するセンサで、挿排口１１１付近に設けられたＣＤ１の挿入によりその光路が遮断される発光、受光センサからなる光センサ等で構成される。ＣＤ収納センサ３９０は、ストッカ３０の各収納空間３７５のそれぞれにＣＤ１が収納されているかどうか検知するセンサで、ストッカ３０の各収納空間３７５の奥に設けられＣＤ１の完全な収納状態でＣＤ１により押圧される押圧スイッチ等により構成される。ストッカ位置センサ３８５は、ストッカ３０の高さ（位置）を検知するセンサで、ストッカ３０の位置に応じて摺動子が移動して抵抗値が変位するスライド式抵抗器等で構成される。収納空間メモリ３７５は、複数の収納空間の内でＣＤ１が収納されている個所と収納されていない箇所を記憶するメモリでＲＡＭにより構成されている。ストッカ昇降部３７は、ストッカ３０を昇降する機構で、ストッカ昇降ねじ３７０と、モータ、ギヤ等で構成されるストッカ昇降駆動部３７１からなる。駆動ローラ２５は、正逆に回転してストッカ３０にＣＤ１を収納し、あるいは、ストッカ３０から排出するもので、モータとこれに連結されたのゴムローラ２５１ａ，２５１ｂ，２５２ａ，２５２ｂからなる。制御部５０は、ＣＤ挿入センサ２６０、ＣＤ収納センサ３９０、ストッカ位置センサ３８５からの情報を入力し、ストッカ昇降部３７、駆動ローラ２５、隔壁開拡部６０に制御信号を出力するもので、マイコン等から構成される。
【００１９】
次に隔壁開拡部６０の構成について図３を用いて説明する。図３は隔壁開拡部６０の構成図である。
【００２０】
隔壁開拡部６０は、押込み駆動部６２（押し込み手段）と、隔壁開拡レバー６１（開拡部材）からなり、搬送部２０の側壁面２００，２０１に設置され、即ちＣＤ１の移動空間の外に配置されている。押込み駆動部６２は、モータ６２１と、このモータの軸に結合されたウォームギヤ６２２からなる。隔壁開拡レバー６１は、その先端が収納空間３７５に挿入されるように平行移動され、隔壁３０１の間を開拡するレバーで、先端部６１０が楔状になっている。また、開拡レバー６１には、搬送部２０の側壁面２００，２０１に立設された軸６１３が挿入される長円穴６１２からなる案内部が形成され、更に、ウォームギヤ６２２と噛合するラック６１４が形成されており、モータ６２１の回転により開拡レバー６１は平行移動するようになっている。尚、開拡レバー６１は樹脂等により形成される。そして、開拡レバー６１の先端部６１０はＣＤ１を収納する収納空間３７５と一致する高さに配置されている。
【００２１】
次に隔壁開拡部６０の動作について図４を用いて説明する。図４は隔壁開拡部６０の動作状態を示す動作図で、（ａ）は隔壁開拡レバー６１が最も後退した状態図で、（ｂ）は隔壁開拡レバー６１が押込み方向に最も前進した状態図である。図4 （ａ）の隔壁開拡レバー６１が最も後退した状態において、制御部５０の出力信号により押込み駆動部６２のモータ６２１が所定の回転数だけ正回転すると、ウォームギヤ６２２とラック６１４の働きにより、隔壁開拡レバー６１は隔壁３０１の方向に所定距離前進し、その先端部が一対の隔壁を開拡して図４（ｂ）の状態になる。ＣＤ１が収納されＣＤ収納センサ３９０がＣＤ１の収納完了を検知すると、制御部５０から制御信号が出されて押込み駆動部６２が所定の回転数だけ逆回転する。そして、ウォームギヤ６２２とラック６１４の働きにより、隔壁開拡レバー６１は後退し、図４（ａ）の状態に戻る。
【００２２】
次にＣＤ１の収納時に制御部５０が行なう処理について図５を用いて説明する。図５は制御部５０が実行する処理を示すフローチャートである。本処理は記録媒体再生装置に電源が入った状態でＣＤ１が挿入されたとき（ＣＤ挿入センサ２６０により検知）に開始される。
【００２３】
ステップＳ１では、収納空間メモリ３９５の記憶内容によりストッカ３０の中の挿排口１１１に最も近い空の収納空間３７５を検出し、この収納空間３７５を挿入されたＣＤ１の収納空間３７５に設定して、ステップＳ２に移る。ステップＳ２では、挿入されたＣＤ１の収納用として設定された収納空間３７５と、搬送部２０におけるＣＤ１のストッカ３０への挿排位置が重なるまでストッカ昇降部３７を動作させる制御信号を出力し、ステップＳ３に移る。ステップＳ３では、押込み隔壁開拡部６０に隔壁開拡レバー６１をストッカ３０側へ移動させる制御信号を出力し、ステップＳ４に移る。この処理により隔壁開拡レバー６１は収納用に設定された収納空間３７５に対して所定の位置まで挿入され一対の隔壁３０１の間隙が拡張する。
【００２４】
ステップＳ４では、駆動ローラ２５にＣＤ１を収納空間に送り込む制御信号を出力して、ステップＳ５に移る。尚、駆動ローラ２５により完全に収納できない構造でなければ、その後、図示しない補助のレバーで完全にＣＤ１をストッカ３０に押込む必要がある。また、ステップＳ４（ＣＤ１収納完了後）では設定された収納空間３７５にＣＤ１が収納されたことを収納空間メモリ３９５に記憶する。ステップＳ５では、押込み隔壁開拡部６０の隔壁開拡レバー６１を設定された収納空間３７５から離脱させるための制御信号、つまり隔壁開拡レバー６１をストッカ３０から離脱する方向に移動させる信号を出力して、本処理を終える。
【００２５】
このような処理により、ＣＤ１を挿排口１１１に挿入すると、ストッカ３０は昇降し、ストッカ３０におけるディスクが収納されておらず、かつ最も挿排口１１１に近い収納空間３７５が搬送部２０内におけるＣＤ１の挿排位置と対向する。その後、隔壁開拡レバー６１がストッカ３０の方向に移動して、収納空間３７５の両側の隔壁３０１を押し広げ、そしてＣＤ１が押し広げられた収納空間３７５に挿入される。従って、ＣＤ１は充分な高さのある収納空間３７５に挿入されることになり隔壁３１０に接触することなくストッカ３０に収納される。
【００２６】
次に本発明の第２の実施例について図６を用いて説明する。図６は本発明の第２の実施例における記録媒体再生装置の構成図で、（ａ）は平面図、（ｂ）は透視Ａ矢視図である。尚、第１実施例と同じ構成については同じ符号を付し説明を省略する。
【００２７】
搬送部２１は右側壁２１０と、左側壁２１１が樹脂等の非磁性体で作られ、壁面に永久磁石からなる搬送側磁石２７０が貼着されている。その貼着位置はＣＤ１の挿排位置と同じ高さで、かつストッカ３１の隔壁３１１の先端縁部３６５に接触しないできるだけ近接した位置（例えば１ｍｍの間隙）に磁極が配置される位置となっている。また、搬送側磁石２７０の高さは磁力を作用させる隔壁３１１に隣接する隔壁３１１に与える影響が小さくなるようになっている。各隔壁３１１には、搬送側磁石２７０の磁力作用を受ける磁性体３８２が、搬送側磁石２７０に対面した近傍、つまり先端部分の両端部分に埋設されている。
【００２８】
次に本発明の隔壁開拡の動作（隔壁開拡手段）について図７を用いて説明する。図７は隔壁開拡部の動作状態を示す動作図で、（ａ）は搬送側磁石２７０が隔壁３１１の近くにない状態、即ち、磁性体３８２が搬送側磁石２７０の磁力作用を受けない状態、（ｂ）は搬送側磁石２７０が隔壁３１１に接近した状態、つまり搬送側磁石２７０が開拡されるべき隔壁３１１の位置にあって磁性体３８２が搬送側永久磁石２７０の磁力作用を受けた状態を示している。
【００２９】
図７（ａ）に示すように搬送側磁石２７０が近くに無い場合は、隔壁３１１は磁力を受けず真っ直ぐな状態になっている。ストッカ３１がＣＤ１を挿入する位置に移動して、搬送側磁石２７０が隔壁３１１ａ、３１１ｂに接近すると、隣接する隔壁３１１の磁性体３８２ａ、３８２ｂは、搬送側磁石２７０により共に同じ方向に磁化され、磁性体３８２ａ、３８２ｂが互いに反発する。このためこの反発力Ｆにより隔壁３１１が撓み、図７（ｂ）のような開拡した状態になる。
【００３０】
本実施例によれば隔壁開拡部による隔壁３１１の開拡を比較的単純な搬送側磁石２７０と磁性体３８２を取り付けるだけの構成ででき、また開拡動作のために制御部からの制御信号も必要とせず制御が容易になる。尚、搬送側永久磁石２７０は電磁石でも良く、また電磁石はＣＤ１の収納動作のときのみ通電しても良い。
【００３１】
次に本発明の第３の実施例について図８を用いて説明する。図８は本発明の第３の実施例における記録媒体再生装置の構成図で、（ａ）は平面図、（ｂ）は透視Ａ矢視図である。尚、第１、２実施例と同じ構成については同じ符号を付し説明を省略する。
【００３２】
搬送部２２には磁極方向が同じ２個の搬送側永久磁石２７１ａ，２７１ｂが配置されている。それらの配置はＣＤ１の挿排位置を中心とし、隔壁３２１同士のの間隔よりやや広い間隔で、かつ平面図でＣＤ１の移動空間の中央位置に配置され、またストッカ３２の隔壁３２１の先端に接触しないできるだけ近接した位置（例えば１ｍｍの間隙）に磁極が配置される位置となっている。隔壁３２１には、搬送側磁石２７１ａ，２７１ｂの磁力作用を受ける磁性体３８２が、搬送側永久磁石２７１ａ、２７１ｂに対面した近傍、つまり隔壁３２１の先端部分の中央に埋設されている。
【００３３】
次に本発明の隔壁開拡の動作（隔壁開拡手段）について図９を用いて説明する。図９は隔壁開拡部の動作状態を示す動作図で、（ａ）は搬送側永久磁石２７１が隔壁３２１の近くにない状態、即ち、磁性体３８２ａ，３８２ｂが搬送側永久磁石２７１ａ，２７１ｂの磁力作用を受けない状態、（ｂ）は搬送側永久磁石２７１が隔壁３２１に接近した状態、つまり搬送側永久磁石２７１ａ、２７１ｂが開拡されるべき隔壁３２１ａ，３２１ｂの位置にある状態を示している。
【００３４】
図９（ａ）に示すように搬送側永久磁石２７１が近くに無い場合は隔壁３２１は磁力を受けず真っ直ぐな状態になっている。ストッカ３２がＣＤ１を挿入する位置に移動して、搬送側永久磁石２７１ａ，２７１ｂが隔壁３２１に接近すると、隣接する隔壁３２１の磁性体３８２ａ、３８２ｂは、搬送側永久磁石２７１ａ，２７１ｂにより共に同じ方向に磁化され、磁性体３８２ａ，３８２ｂは互いに反発する。このためこの反発力Ｆにより隔壁３２１が撓み、図９（ｂ）のような開拡した状態になる。
【００３５】
本実施例によれば隔壁開拡部による隔壁３２１の開拡を比較的単純な搬送側永久磁石２７１と磁性体３８２を取り付けるだけの構成ででき、また開拡動作のために制御部からの制御信号も必要とせず制御が容易になる。また搬送側永久磁石２７１ａ，２７１ｂをＣＤ１の挿排位置の上下にずらして配置する構成であるので、どの位置でもＣＤ１の移動の妨げにならず、搬送側永久磁石２７１ａ，２７１ｂの平面方向での位置の自由度が増し設計が楽になる。尚、搬送側永久磁石２７１は電磁石でも良く、また電磁石は収納動作のときのみ制御部からの出力信号により通電しても良い。
【００３６】
次に本発明の第４の実施例について図１０を用いて説明する。図１０は本発明の第４の実施例における記録媒体再生装置の構成図で、（ａ）は平面図、（ｂ）は透視Ａ矢視図である。尚、第１、２、３実施例と同じ構成については同じ符号を付し説明を省略する。  筐体１１内には搬送部２３と、搬送部昇降部７０と、電磁石ポール２８２と、ストッカ３３とからなる。搬送部２３はストッカ３３にＣＤ１を送り込み、またストッカからＣＤ１を排出するもので、ストッカ３３のＣＤ１が収納される方向（垂直方向）に昇降可能な構造になっている。搬送部昇降部７０は制御部からの出力信号により搬送部２３をストッカ３３の全てのＣＤ１収納空間３７５に対応するように昇降させるもので、モータ、減速伝達機構、ねじ等からなる。
【００３７】
電磁石ポール２８２は、筐体１１に立設した非磁性体の樹脂製の支柱に電磁石２８１を各隔壁３３１と対向する位置に複数配設したもので、制御部からの出力信号によりＣＤ１を収納すべき空間を形成する隣接した隔壁３３１に対面する一対の電磁石２８１が通電され磁化される。また、再生部４１はストッカ３３の下部にあり、搬送部２３が再生すべきＣＤ１をストッカ３３から取り出して再生部４１の位置まで下降し、そしてＣＤ１を再生部４１方向へ排出して、再生部４１にＣＤ１を搬送する構成となっている。隔壁３３１には、電磁石ポール２８２の電磁石２８１の磁力作用を受ける磁性体３８０が、電磁石２８１に対面した近傍、つまり隔壁３３１の先端部分の両端両側端に埋設されている。
【００３８】
そして、本実施例ではＣＤ１を収納すべき空間の両側隔壁３３１に対向する電磁石２８１に同じ向きに磁化されるように通電する。すると通電された電磁石２８１により、対向する磁性体３８０が同極に磁化され、その反発力により隔壁３３１が撓みＣＤ１の収納すべき空間が広がる。従って、本実施例によっても、ＣＤ１収納時にＣＤ１と隔壁３３１との接触を防止できる。
【００３９】
次に本発明の第５の実施例について図１１、図１２を用いて説明する。図１１はストッカと駆動部の構成図、図１２はストッカ３４の斜視慨略図である。尚、第１，２，３，４実施例と同じ構成については同じ符号を付し説明を省略する。
【００４０】
ストッカ３４は７枚の個別に分離可能な隔壁３４１と、積層している隔壁を任意の箇所で２つに分離する分割用スライド部材６３１，６３２からなる。最上段の隔壁３４１ａには３個所のストッカ昇降ねじ３７０が螺合し、このストッカ昇降ねじ３７０の回転により隔壁３４１ａは上下方向に変位可能である。また、隔壁３４１ａには分割用スライド部材６３１，６３２がそれぞれ左右の縁にＹ方向に摺動可能な状態で軸着されている。分割用スライド部材６３１，６３２は隔壁３４１ａの上面を摺動する平面部と、側方に垂下し、内側に折れ曲がったフック状の先端（フック部６３３）を有し、所定の位置まで摺動して隔壁３４１の左右に設置した突起６３５の一つに係合する。そしてストッカ３５を最上段の隔壁３４１ａを含む上層の隔壁群と下層の隔壁群の任意の２層に分割することができる。尚、この分割用スライド部材６３１，６３２はモータ、ギヤ、レバー等からなるスライド部材駆動部６４０により摺動される。ストッカ駆動部６４１はストッカ昇降ねじ３７０を回転するもので、モータ、ギヤ等により構成される。そして、これらスライド部材駆動部６４０、ストッカ駆動部６４１は、マイクロコンピュータ（マイコン）６５０により、その動作が制御される。
【００４１】
次に動作を説明するが、説明を分かり易くするため７枚の隔壁３４１で構成されたストッカ３４の隔壁３４１の上から２枚目と３枚目とで構成される収納空間３７５ｂにＣＤ１を収納する場合を例にあげ、収納動作を説明する。
【００４２】
ストッカ３４は全７枚の隔壁３４１が集結している状態、即ち分割用スライド部材６３１，６３２が一番下の隔壁３４１ｆの突起６３５ｆに係合している状態から一連の動作が始まる。挿排口１１１にＣＤ１が挿入されるとストッカ昇降ねじ３７０がストッカ駆動部６４１により駆動され、ストッカ３４は上から２段目の収納空間３７５ｂがＣＤ１挿排位置（挿排口１１１位置）となるまで移動する。次にスライド部材駆動部６４０は、分割用スライド部材６３１，６３２をそのフック部６３３が上から２枚目の隔壁３４１の突起６３５ｂと係合する位置まで摺動させ、ストッカ３４を隔壁３４１が２枚からなる上層の隔壁群と５枚からなる下層の隔壁群とに分ける。続いてストッカ駆動部６４１がストッカ昇降ねじ３７０を回動して上層の隔壁群を所定の高さまで上昇させ、収納空間３７５ｂを開く。尚、下層の隔壁群は例えば係止部材等で落下が防止されている。次にこの拡張した収納空間３７５ｂに搬送部よりＣＤ１が挿入される。次にストッカ昇降駆動部６４１がストッカ昇降ねじ３７０を逆方向に回動して上層の隔壁群を下層の隔壁群に接するまで下降させる。その後スライド部材駆動部６４０がスライド部材６３１，６３２を全ての隔壁を保持する位置（フック部６３３が一番下の隔壁３４１の突起６３５ｆに契合する位置）まで摺動させストッカ３４が一体化された状態となる。
【００４３】
このように、本実施例においても、ＣＤ１の収納時に収納部分の幅が広くなるので、収納時におけるＣＤ１と隔壁３４１との接触を防止することができる。
【００４４】
【発明の効果】
以上説明したように本発明によれば、装置内に記録媒体をできるだけ多く収納できて、しかも円滑に記録媒体の収納を可能とする記録媒体収納演奏装置を提供することができる。
【図面の簡単な説明】
【図１】本発明の第１実施例における記録媒体再生装置の構成図である。
【図２】記録媒体再生装置におけるディスク搬送機構の電気的構成を示すブロック図である。
【図３】隔壁開拡部６０の構成図である。
【図４】隔壁開拡部６０の動作状態を示す動作図である。
【図５】制御部５０が実行する処理を示すフローチャートである。
【図６】本発明の第２実施例における記録媒体再生装置の構成図ある。
【図７】隔壁開拡部の動作状態を示す動作図である。
【図８】本発明の第３実施例における記録媒体再生装置の構成図である。
【図９】隔壁開拡部の動作状態を示す動作図である。
【図１０】本発明の第４実施例における記録媒体再生装置の構成図である。
【図１１】  ストッカ及び駆動部の構成図である。
【図１２】ストッカ３４の斜視慨略図である。
【図１３】従来の記録媒体再生装置の構成図である。
【符号の説明】
１・・・・・・・・・・・・・・・・ＣＤ
１０，１１・・・・・・・・・・・・筐体
２０，２１，２２，２３，２４・・搬送部
２５・・・・・・・・・・・・駆動ローラ
３０，３１，３２，
３３，３４，３５・・・・・・・ストッカ
３０１，３１１，３２１，
３３１，３４１，３５１・・・・・・隔壁
３７５・・・・・・・・・・・・収納空間
３６５，３６６・・・・・・・・先端縁部
３７，３８・・・・・・・ストッカ昇降部
４０，４１・・・・・・・・・・・再生部
５０，５３・・・・・・・・・・・制御部
６２・・・・・・・・・・・押込み駆動部
【図１】
0003817379.tif 000002
【図２】
0003817379.tif 000003
【図３】
0003817379.tif 000004
【図４】
0003817379.tif 000005
【図５】
0003817379.tif 000006
【図６】
0003817379.tif 000007
【図７】
0003817379.tif 000008
【図８】
0003817379.tif 000009
【図９】
0003817379.tif 000010
【図１０】
0003817379.tif 000011
【図１１】
0003817379.tif 000012
【図１２】
0003817379.tif 000013
【図１３】
0003817379.tif 000014